(57)【要約】【課題】飯の水分を適度に吸湿し同時に適度に保湿した状態で長時間収納可能な弁当箱などの食品用容器を提供する。【解決手段】トレー状の二重容器の内容器３は内部を仕切り壁で複数の収納区画とするとともに，飯収納部区画４の底面３ａに飯が通過可能で底面の略々過半以上の大きさの開口５を形成し、外容器２の底面２ａ内側に吸湿水分を放散可能な吸湿材６を介在させて食品収納容器１を構成した。【選択図】図３
0003128577.tif 000002
【実用新案登録請求の範囲】
【請求項１】
トレー状の少なくとも二重容器であって、内容器は飯収納部の底面に飯が通過可能な大きさの開口を形成し、外容器の底面内側に吸湿水分を放散可能な吸湿材を介在させてなる構成を有する食品収納容器。
【請求項２】
トレー状の少なくとも二重容器であって、内容器は内部を仕切り壁で複数の収納区画とするとともに、飯収納部区画の底面に飯が通過可能な大きさの開口を形成し、外容器の底面内側に吸湿水分を放散可能な吸湿材を介在させてなる構成を有する食品収納容器。
【請求項３】
上記底面の開口は飯収納部区画の略々底面全体である請求項１又は２に記載の食品収納容器。
【請求項４】
上記底面の開口は飯収納部区画の底面全体の略々過半に亘る大きさである請求項１又は２に記載の食品収納容器。
【考案の詳細な説明】
【技術分野】
【０００１】
本考案は、炊き上げた飯などを収納し、弁当容器などとして使用する食品収納容器に関する。
【背景技術】
【０００２】
トレー状の食品容器は、合成樹脂製、木製、紙製、金属製、防水層などを積層した積層材、その他の積層材製など、種々な材質で提供されている。飯やおかず類を収納する食品容器の一種として、中容器内を仕切り、中底にドリップ（水分、汁など）用の小孔を穿設し、外底内面に吸湿材を敷設し、被蓋した構成のものも知られている。例えば下記公知文献にも示されている。
【特許文献１】登録実用新案公報第３０００４０１号
【特許文献１】登録実用新案公報第３００６９８７号
【考案の開示】
【考案が解決しようとする課題】
【０００３】
上記のように底面にドリップ用の小孔を穿設した構成の容器を使用した場合は、飯の水分が小孔から排出し、吸湿材に吸着されてしまい、また、中底の下側に空隙が形成されてしまうために、長時間飯を収納したままにしておくと、飯が乾燥傾向になり、硬く或いは硬めになって美味しくなくなってしまう問題があった。
本考案は、このような従来気が付かなかった問題点に着眼することによってなしたものであり、飯を適度に保湿した状態で長時間収納可能な食品用容器を提供せんとするものである。
【課題を解決するための手段】
【０００４】
上記課題を解決するために、本考案は、トレー状の少なくとも二重容器であって、内容器は飯収納部の底面に飯が通過可能な大きさの開口を形成し、外容器の底面内側に吸湿水分を放散可能な吸湿材を介在させて食品収納容器を構成したこと、また、内容器は内部を仕切り壁で複数の収納区画とするとともに、飯収納部区画の底面に飯が通過可能な大きさの開口を形成し、外容器の底面内側に吸湿水分を放散可能な吸湿材を介在させて食品収納容器を構成したことを特徴とする。
【０００５】
上記底面の開口は飯収納部区画の底面全体となるように形成するのが好ましい。また、飯収納部区画の底面全体の略々過半に亘る大きさに形成することもできる。
【考案の効果】
【０００６】
本考案によれば、容器内で滴下した水分は外容器の底面内側の吸湿材に吸着されるので、飯がふやけてしまうことがなく、同時に、水分が吸着されるものの、湿潤した吸湿材と飯との間に空隙が形成されることによって両者が断絶してしまうことがないので、飯の乾燥傾向につれて吸湿材の水分は吸湿材上に詰められた飯伝いに放散されることになり、飯は長時間保湿されてやわらかく、美味しい状態に保たれる。
【考案を実施するための最良の形態】
【０００７】
以下、本考案の一実施形態を図面によって説明する。なお、図面は、好適な一例を示すものであって、本考案を限定するものではない。
【０００８】
食品収納容器１は、外底となる底面２ａと周側面２ｂとを少なくとも有し、好ましくは周側面の上縁部を外折れ上縁部とした外容器２と、外容器２内に二重容器状に納まる内容器３とを有し、蓋（図示せず）を所望により被着して構成してある。容器１は圧空真空成型などの熱成形した合成樹脂材、防水加工した薄板材や紙材、金属箔その他の適宜素材を積層した複層材、その他防水性を有する任意の材質とすることができ、外容器と内容器とは、同素材としてもよく、異なる材質としてもよい。リブ、凹凸面の形成などは任意である。
【０００９】
内容器３は、内底となる底面３ａと上記周側面２ｂの上縁部内側に嵌入する周側面３ｂとを有し、容器内を複数の収納部に区画する仕切り壁３ｃを設け、その中で、飯を収納する区画４の底を開口５して形成してある。
開口５は、図１〜３では区画４内の底面の略々全体を切除して形成してあるが、図４の如く区画４の底面内に数個（図では４個）形成し、或いは図示しないが中央部に１個形成するようにしてもよく、いずれであっても、収納された飯が開口５を通してその下側に介在する吸湿材６の面に接触できるような大きさに開口させ、かつ、開口面積が飯を収納する区画内の底面全体の略々過半部以上の大きさとなるように形成するのがよい。
【００１０】
飯を収納する区画４以外の内容器の底面は開口のない底面として形成すればよいが、水分が溜まらないように、水分のみを通過させ得る程度の小孔を適宜穿設しておいてもよい。なお、仕切り壁３ｃの態様（配置状態、形状、高さなど）は任意であり、限定されない。
【００１１】
上記外容器２の底面２ａの内側には水分を吸湿可能でかつ放散可能なシート状の吸湿材６を介装してある。吸湿材６は、不織布、木質材、紙質材、その他の連通孔乃至多孔質素材など、食品用として無害な任意素材とすることができ、底面内側に積層し、或いは載置してもよく、この場合は食品用接着剤或いはヒートシールなどによってずれない程度に接着してもよい。また、内底面の略々全面に亘る大きさで介装してもよく、開口５をほぼ覆うように或いはその面積以上の大きさとして介装してもよい。
【００１２】
上記容器１には、飯収納区画４に炊き上げた或いは加熱した飯を詰め、他の区画には例えば副食類などを収納するなどして、使用に供することができる。飯は区画４内に収まると同時に底面３ａの開口５から下方の底面２ａ側の吸湿材６面に接触するようにして詰まることになり、下方に滴下した水分は吸湿材６に吸湿されて、吸湿材が湿潤するが、これが飯を保湿するように作用して飯の乾燥を遅らせ、飯を長時間やわらかく美味しい状態に保つことになる。
【図面の簡単な説明】
【００１３】
【図１】本考案に係る一例容器の縦断面図である。
【図２】図１の外容器と内容器とを分離して示した断面図である。
【図３】図１の容器の斜視略図である。
【図４】図３の容器の別の一例を示す斜視略図である。
【符号の説明】
【００１４】
１容器、      ２外容器、    ２ａ底面、      ２ｂ周側面、
３内容器、    ３ａ底面、    ３ｂ周側面、    ３ｃ仕切り壁、
４飯収納区画、    ５開口、    ６吸湿材
【図１】
0003128577.tif 000003
【図２】
0003128577.tif 000004
【図３】
0003128577.tif 000005
【図４】
0003128577.tif 000006